(57)【要約】【課題】  、伝送ラインへの信号の有無を簡便にチェックできるとともに伝送ラインの異常時におけるトラブル状態を容易にかつ確実に判断できるようにしたディジタル信号伝送回路を提供する。【解決手段】  伝送ライン１２のインピーダンスの変化を信号電圧の変化として電圧抽出部１５により取り出し、この電圧抽出部１５から取り出した信号電圧を表示手段１６の発光素子１６Ａに印加することにより、伝送ライン１２の異常時におけるトラブル状態を判別して表示するように構成したので、この発光素子を伝送ライン１２の正常時およびトラブル状態に応じた明るさで点灯させる  。【選択図】  図１
2005136780.tif 000002
【特許請求の範囲】
【請求項１】
ディジタル信号を伝送ラインに出力するドライバーと、前記伝送ラインに接続され該伝送ライン上を伝送する信号を受ける複数のレシーバと、前記伝送ラインの終端に接続されたターミネーターとを有するディジタル信号伝送回路であって、
前記ターミネーターを含む前記伝送ラインのインピーダンスの変化を信号電圧の変化として取り出す電圧抽出部を前記ドライバーの信号出力端に設け、前記電圧抽出部から取り出された信号電圧を基に信号の有無及び前記伝送ラインの異常時におけるトラブル状態を判別して表示する表示手段を設けたことを特徴とするディジタル信号伝送回路。
【請求項２】
前記トラブル状態は、前記伝送ライン終端へのターミネーターの接続忘れまたは前記伝送ラインの切断及び短絡の何れかであることを特徴とする請求項１記載のディジタル信号伝送回路。
【請求項３】
前記電圧抽出部は、前記ドライバーの一対の信号出力端にそれぞれ直列に接続された一対の抵抗から構成されていることを特徴とする請求項１記載のディジタル信号伝送回路。
【請求項４】
前記表示手段は、前記電圧抽出部の伝送ライン側出力端に電流制限抵抗及び結合コンデンサを介して並列に接続され前記電圧抽出部から取り出された信号電圧により信号の有無及び伝送ラインのトラブル状態に応じた明るさに駆動される発光素子と、前記発光素子に並列にかつ逆極性に接続した保護ダイオードとから構成されていることを特徴とする請求項１記載のディジタル信号伝送回路。
【請求項５】
前記ドライバー、前記レシーバ、前記電圧抽出部および前記表示手段は、ＤＭＸ５１２規格に準拠する回路であることを特徴とする請求項１記載のディジタル信号伝送回路。
【請求項６】
前記伝送ラインは、ＤＭＸ５１２規格に準拠したツイストペアシールドケーブルで構成されていることを特徴とする請求項１記載のディジタル信号伝送回路。
【請求項７】
前記表示手段は、前記電圧抽出部から取り出された信号電圧に基づいて前記伝送ラインへの信号の有無及び伝送ラインの異常時における各種のトラブル状態を判別する判別回路と、前記判別回路での判別結果に基づいてＤＭＸ信号の有無及び伝送ラインの異常時におけるトラブル状態を表示する表示部とを備えていることを特徴とする請求項１記載のディジタル信号伝送回路。
【発明の詳細な説明】
【技術分野】
【０００１】
本発明は、ディジタル信号伝送回路に関し、さらに詳しくは、ＤＭＸ５１２規格に準拠するディジタルデータのシリアル伝送に使用される伝送ラインのトラブルをモニタできるようにしたディジタル信号伝送回路に関するものである。
【背景技術】
【０００２】
近年、照明機器のコンピュータ化に伴い照明を駆使して場面の情景や雰囲気などを効果的に演出するようにした舞台やＴＶスタジオまたはイベントやコンサートが盛んになり、これにつれて、ＤＭＸ５１２規格に準拠した伝送信号により制御される機器または制御する機器が照明演出に取り入れられるようになってきている。
【０００３】
このＤＭＸ５１２規格は、コントローラと負荷間のディジタル伝送を行う際の電気的特性をはじめ、データフォーマット、データプロトコル、コネクタ、ケーブルの仕様を定めたものである。また、ＤＭＸ５１２規格の電気的特性はＥＩＡのＲＳ−４８５規格に準拠している。また、ＲＳ−４８５は、シリアルデータ通信インタフェースの電気的特性を定めた特性である。
【０００４】
従来、このようなＤＭＸ５１２規格に準拠したディジタルデータのシリアル伝送システムとしては、図１に示すように、ＤＭＸ５１２規格に準拠するドライバー（送信器）１と複数のレシーバ（受信器）２とを備え、各レシーバ２はドライバー１の出力端に接続したＤＭＸ５１２規格に準拠する信号ケーブル（伝送ライン）３にバスライン形式で並列に接続されている。また、信号ケーブル３の終端にはターミネーター（終端抵抗）４が接続されている。
【０００５】
上記ターミネーター４は、信号ケーブル３にツイストペアシールドケーブルを使用した場合、そのケーブルの両端で反射波が発生し、それらの波の合成により信号波形が歪み、正しく受信できなくなるのを防止するものである。
【特許文献１】特開２０００−７８２０９号公報
【発明の開示】
【発明が解決しようとする課題】
【０００６】
ところで、このようなＤＭＸ５１２規格に準拠したディジタルデータのシリアル伝送ラインにおけるトラブルの要因は、信号ケーブルのターミネーターの接続忘れ、信号ケーブルの切断及びショートである。
【０００７】
従来、このような伝送ラインのトラブルチェックに際しては、ドライバーやレシーバなどのＤＭＸ５１２機器の動作を専用の測定器を用いて測定し、その測定結果から、ＤＭＸ５１２機器のトラブルであるのか、あるいは伝送ラインのトラブルであるのかを判断するようにしていた。
【０００８】
しかし、このような方式は、その測定回路が複雑になり、かつ測定作業が煩雑になってトラブルチェックに多くの時間を要するとともに、伝送ラインがどのようのような要因でトラブルが発生しているかの判定が面倒で正確性にも欠けるという問題があった。
【０００９】
本発明は、上記のような従来の問題を解決するためになされたもので、伝送ラインへの信号の有無を簡便にチェックできるとともに伝送ラインの異常時におけるトラブル状態を容易にかつ確実に判断できるようにしたディジタル信号伝送回路を提供することを目的とする。
【課題を解決するための手段】
【００１０】
上記目的を達成するために本発明は、ディジタル信号を伝送ラインに出力するドライバーと、前記伝送ラインに接続され該伝送ライン上を伝送される信号を受ける複数のレシーバと、前記伝送ラインの終端に接続されたターミネーターとを有するディジタル信号伝送回路であって、前記ターミネーターを含む前記伝送ラインのインピーダンスの変化を信号電圧の変化として取り出す電圧抽出部を前記ドライバーの信号出力端に設け、前記電圧抽出部から取り出された信号電圧を基に信号の有無及び前記伝送ラインの異常時におけるトラブル状態を判別して表示する表示手段を設けたことを特徴とする。
【発明の効果】
【００１１】
本発明にかかるディジタル信号伝送回路においては、伝送ラインにターミネーターの接続忘れや切断または短絡などのトラブルが発生すると伝送ラインのインピーダンスの変化するとともに、このインピーダンスの変化に伴い電圧抽出部から取り出された信号電圧が変化する。この信号電圧を受けた表示手段では、その信号電圧に基づいて信号の有無を判定し表示すると同時に伝送ラインの異常時におけるトラブル状態を判別して表示する。
【００１２】
これにより、伝送ラインへの信号の有無を簡便にチェックできるとともに伝送ラインの異常時におけるトラブル状態を容易にかつ確実に判断できる。
【発明を実施するための最良の形態】
【００１３】
本実施例における最良の形態は、ディジタル信号伝送回路において、伝送ラインのインピーダンスの変化を信号電圧の変化として取り出す電圧抽出部をドライバーの一対の信号出力端にそれぞれ直列に接続された一対の抵抗から構成し、かつ信号の有無及び伝送ラインの異常時におけるトラブル状態を判別して表示する表示手段をドライバーの信号出力端に電流制限抵抗及び結合コンデンサを介して並列に接続され電圧抽出部から取り出された信号電圧により駆動される発光素子から構成し、この発光素子を伝送ラインのトラブル状態に応じた明るさで点灯することにより、伝送ラインへの信号の有無を簡便にチェックできるとともに伝送ラインの異常時におけるトラブル状態を容易にかつ確実に判断することができる。
【実施例１】
【００１４】
次に、本発明の実施例について、図１を参照して説明する。図１は本発明にかかるディジタル信号伝送回路の回路構成図である。
図１において、ディジタル信号伝送回路は、ディジタル信号をコネクタ１１を介して伝送ライン１２に出力するドライバー１０と、伝送ライン１２に並列に接続され、該伝送ライン１２上を伝送される信号を受ける複数のレシーバ１３と、伝送ライン１２の終端に接続されたターミネーター（終端抵抗、例えば１００Ω程度）１４とを有している。
【００１５】
また、前記ドライバー１０の信号出力端とコネクタ１１の＋、−のデータ端子とを接続する一対の各ラインＬ１，Ｌ２には別々の抵抗Ｒ２，Ｒ３（例えば数十Ω程度）が直列に接続されている。この抵抗Ｒ２，Ｒ３は、ターミネーター１４を含む伝送ライン１２のインピーダンスの変化を信号電圧の変化として取り出す電圧抽出部１５を構成している。
【００１６】
また、前記電圧抽出部１５の出力端であるコネクタ１１側のラインＬ１とＬ２間には、電圧抽出部１５から取り出された信号電圧を基にＤＭＸ信号の有無及び伝送ライン１２の異常時におけるトラブル状態を判別して表示する表示手段１６が接続されている。
【００１７】
前記トラブル状態は、伝送ライン１２の終端へのターミネーター１４の接続忘れ、または伝送ライン１２の切断あるいは短絡の何れかである。
【００１８】
前記表示手段１６は、図１に示すように、電圧抽出部１５の出力端であるコネクタ１１側のラインＬ１とＬ２間に電流制限抵抗Ｒ１及び結合コンデンサＣ１を介して並列に接続され、電圧抽出部１５から取り出された信号電圧により伝送ライン１２のトラブル状態に応じた明るさに駆動される発光素子（発光ダイオード）１６Ａと、この発光素子１６Ａに並列にかつ逆極性に接続した保護ダイオードＤ１とから構成されている。
【００１９】
上記結合コンデンサＣ１は信号の直流成分をカットし、交流成分を通過させるためのものである。また、保護ダイオードＤ１は、信号電圧のうち、発光素子１６Ａの順方向電圧と逆の電圧が発光素子１６Ａに印加されされないように阻止するためのものである。
なお、発光素子１６Ａの逆電圧を越える電圧が発光素子１６Ａに対して逆方向に印加されると発光素子１６Ａの寿命を著しく縮めることになる。
【００２０】
上述するドライバー１０、コネクタ１１、レシーバ１３、電圧抽出部１５および表示手段１６は、ＤＭＸ５１２規格に準拠する回路で構成されている。
また、前記伝送ライン１２は、ＤＭＸ５１２規格に準拠したツイストペアシールドケーブルで構成されている。
【００２１】
次に、上記のように構成されたディジタル信号伝送回路の動作について説明する。
ベース・バンドタイプまたはブロード・バンドタイプのディジタル信号がドライバー１０に入力されると、このディジタル信号はドライバー１０により増幅され、電圧抽出部１５及びコネクタ１１を介して伝送ライン１２に送出される。そして、この伝送ライン１２に出力された信号は各レシーバ３で受信され、所定の処理がなされる。
【００２２】
一方、ドライバー１０から出力させる信号が電圧抽出部１５を通して伝送ライン１２に流れることにより、電圧抽出部１５から取り出される交流波形状の信号電圧（この信号電圧はターミネーター１４を含む伝送ライン１２のインピーダンスに応じて設定される）は電流制限抵抗Ｒ１及び結合コンデンサＣ１を介して発光素子１６Ａに印加され、発光素子１６Ａを点灯する。
なお、ドライバー１０にディジタル信号が入力されない時、すなわち信号が変化しない時は発光素子１６Ａが点灯されない。これにより、ＤＭＸ信号の有無を判別できる。
【００２３】
発光素子１６Ａが電圧抽出部１５から取り出される信号電圧で点灯されている状態において、発光素子１６Ａの明るさが予め設定した明るさ、例えば中程度の明るさであると判断された場合は、伝送ライン１２の終端にターミネーター１４が接続されており、かつ伝送ライン１２に断線または短絡が発生していなと判断することができる。
【００２４】
また、伝送ライン１２の終端にターミネーター１４が接続されていない場合や伝送ライン１２が断線している場合は、伝送ライン１２の終端は開放状態におかれるため、伝送ライン１２のインピーダンスは大きくなり、伝送ライン１２の電圧降下はほぼゼロに等しい。その結果、発光素子１６Ａにはドライバー１０から出力される信号電圧の全電圧が印加されることになるため、発光素子１６Ａは最大の明るさに点灯される。したがって、発光素子１６Ａが最大の明るさに点灯されている時に伝送ライン１２の終端にターミネーター１４が接続されていないか、または伝送ライン１２が断線しているとして設定しておけば、発光素子１６Ａが最大の明るさに点灯されることを視認することにより、ターミネーター１４の接続忘れ、または伝送ライン１２が切断していると判断することができる。
【００２５】
また、伝送ライン１２が短絡している場合は、ドライバー１０から出力される信号電流のほとんどが伝送ライン１２の短絡部を通して流れるため、表示手段１６の発光素子１６Ａには信号電圧がほとんど印加されない。その結果、発光素子１６Ａはほとんど消灯された状態におかれる。したがって、発光素子１６Ａがかかる状態にある時に伝送ライン１２が短絡状態にあると設定しておけば、発光素子１６Ａがほとんど消灯された状態にあることを視認することにより、伝送ライン１２が短絡していると判断することができる。
【００２６】
このような本実施例に示すディジタル信号伝送回路によれば、伝送ライン１２のインピーダンスの変化を信号電圧の変化として電圧抽出部１５により取り出し、この電圧抽出部１５から取り出した信号電圧を表示手段１６の発光素子１６Ａに印加することにより、伝送ライン１２の異常時におけるトラブル状態を判別して表示するように構成したので、この発光素子を伝送ライン１２の正常時およびトラブル状態に応じた明るさで点灯させることにより、簡単な回路構成で、伝送ライン１２へのＤＭＸ信号の有無を簡便にチェックできるとともに伝送ライン１２の異常時におけるトラブル状態を容易にかつ確実に判断することができる。
【実施例２】
【００２７】
次に、図２により本発明のディジタル信号伝送回路における表示手段１６の他の実施例について説明する。
図２において、表示手段１６は、電圧抽出部１５から取り出された信号電圧に基づいて伝送ライン１２へのＤＭＸ信号の有無及び伝送ライン１２の異常時における各種のトラブル状態を判別する判別回路１６１と、この判別回路１６１での判別結果に基づいてＤＭＸ信号の有無及び伝送ライン１２の異常時におけるトラブル状態を表示する表示部１６２とを備えている。
【００２８】
このような表示手段１６において、電圧抽出部１５から取り出された信号電圧が判別回路１６１に入力されると、この判別回路１６１では、伝送ライン１２へのＤＭＸ信号の有無及び伝送ライン１２の異常時におけるトラブル状態、例えば伝送ライン１２の終端へのターミネーター１４の接続忘れ、または伝送ライン１２の切断及び短絡の何れかを判別する。そして、これらの判別結果は、表示部１６２に文字や記号（または音声）により表示される。
【００２９】
このような実施例２によれば、上記実施例１の場合と同様に、伝送ライン１２へのＤＭＸ信号の有無を簡便にチェックでき、かつ伝送ライン１２の異常時におけるトラブル状態を容易にかつ確実に判断することができる。
【００３０】
本発明にかかる表示手段１６は、図１に示す構成のディジタル信号伝送回路に限らず、ＤＭＸスプリッタ、アイソレータ、バッファ等のＤＭＸ信号出力機器に使用される伝送ラインのトラブルチェック用モニタにも利用することができる。
【図面の簡単な説明】
【００３１】
【図１】本発明にかかるディジタル信号伝送回路の回路構成図である。
【図２】本発明における表示手段の他の実施例を示すブロック図である。
【符号の説明】
【００３２】
１０    ドライバー
１１    コネクタ
１２    伝送ライン
１３    レシーバ
１４    ターミネーター
１５    電圧抽出部
１６    表示手段
１６Ａ  発行素子
１６１  判別回路
１６２  表示部
【図１】
2005136780.tif 000003
【図２】
2005136780.tif 000004